(57)【要約】成形カップと、支持材料（１）と、長さ調整具（１０）と、接続手段（２、３）とを備え、支持材料としては垂直支持材料（１）のみ用いられ、それは成形カップの側面に接続手段（２、３）を用いて結びつけられ、接続手段（２）は垂直支持材料（１）に縫い込まれた閉口部とＧ字型に伸張された開口部から成る身体形状の婦人下着。【選択図】図１
2018510980.tif 000002
【特許請求の範囲】
【請求項１】
身体形状の婦人下着であり、
成形カップと、
支持材料と、
長さ調整具と、
留め具および取り外し手段とを備え、
前記支持材料としては垂直支持材料のみ用いられ、
それは前記成形カップの上側面および下側面に前記留め具および前記取り外し手段を用いて結びつけられ、
前記留め具は２つの部分から構成され、
１つ目の部分は閉口部から成り前記垂直支持材料に縫い込まれており、
もう１つの部分はＧ字型に伸張されて開いているため、前記留め具と婦人下着の他部分を結びつけることが可能になる、身体形状の婦人下着。
【請求項２】
前記成形カップは上部に粘着基体を有する、請求項１に記載の身体形状の婦人下着。
【請求項３】
前記成形カップは硬化材料を有する、請求項１に記載の身体形状の婦人下着。
【請求項４】
前記支持材料の長さは調整可能である、請求項１に記載の身体形状の婦人下着。
【請求項５】
前記支持材料は前記成形カップから取り外すための取り外し手段を有する、請求項１に記載の身体形状の婦人下着。
【請求項６】
前記支持材料の相対的な位置は変更可能である、請求項１に記載の身体形状の婦人下着。
【請求項７】
閉口部と開口部から構成された留め具であり、前記開口部はＧ字型に伸張されて前記閉口部の３倍以上の長さを有して開いているため、前記留め具と前記婦人下着の他部分を垂直および水平位置に結びつけることが可能になる、留め具。
【発明の詳細な説明】
【技術分野】
【０００１】
本発明は軽工業に関し、特にブラジャー、水着、コルセット、トップ等の婦人下着の製造に用いることができる。
【背景技術】
【０００２】
現在、多くのブラジャーとコルセットのデザインと種類が既知であり、多様な女性の需要を満たしている。しかし、これらすべての製品の主な形状と構造はブラジャーの製作過程の初めから同じである。これは成形カップ、水平支持材料、垂直支持材料、調整材料を含む。そのようなデザインは大多数の婦人下着の種類において変わらず、それは現状既知である（特許文献１、特許文献２、特許文献３、特許文献４、特許文献５など）。
【０００３】
しかし、そのようなデザインは常に女性の主な需要を満たすとは限らない。発明者、デザイナー、テイラーのすべての当初の努力はコルセットを製作、次にブラジャーを製作するときに向けられている。すべては女性の胸部および全般的に上半身の美しさのためである。
【０００４】
よって、ブラジャーの欠点の１つは下着の主な部分を支持する肩ひも、吊ひも、リボン等の垂直支持材料を用いる必要があることである。この肩ひもは、正面にある成形カップと背面にある水平支持部分とを肩を通して結びつけることで、女性の背中の肩甲骨に対して水平な２本の均等なひもを形成する。
【０００５】
そのデザインは、背中が開いたあるいは女性の身体の背中以外の部分が開いているイブニングドレスまたは他の種類のドレスを女性が着たい場合は効果的ではない。それは、肩ひもは、ドレスの軽い雰囲気および女性の身体の優美さといったデザイナーの意向を完全に消してしまうからである。
【０００６】
透明な肩ひもを有するブラジャーのデザインは既知であるが、しかし、その肩ひもの透明さは相対的であり、女性の身体においてなお視認できる。さらに、この肩ひもの材料はプラスチックの一種であるため摩擦で擦り傷ができ、またそれほど耐久性がなく、皮膚と接触する部分はより発汗するので皮膚は呼吸ができない。
【０００７】
ブラジャーの垂直支持材料をまったく有しないデザインもまた既知である。しかし、そのようなデザインにおいては、ワイヤー、プラスチック等の硬い水平支持材料あるいは弾力性に富む素材等が用いられている。しかし、その素材は長く着用すると不快になり、女性の健康に害をもたらす。
【０００８】
衣服の下に隠すためにブラジャーの肩ひもの位置を変える部品は既知である。例えば、肩ひもを保持しＶ字形にまとめる留め具が開示されている（特許文献６）。しかし、この部品は背中の開きに関する欠点を補わず、脇の傍に位置する肩ひもの視野性を和らげるだけである。
【０００９】
女性自身で支持を調整することができる調整可能ブラジャーは同じく既知である。そのブラジャーは少なくとも１本の肩ひもおよび水平支持ひもを備える。肩ひもを水平支持ひもに留めることは複数の部分を材料に取り付ける調整が可能である。そのブラジャーも、支持材料を複数の位置に沿って材料に取り付ける構成をしている第２肩ひもを備えるかもしれない（特許文献７）。
【００１０】
このデザインは素肌が見える箇所から肩ひもを移動させることが可能であるが、デザインの主素材は肩ひもが取り付けられている水平支持ひもであるため完全に移動させるわけではない。このひもは完全なる背中の開きを提供することはできない。
【００１１】
最も近い類似形は衣服と肩ひもを結びつける器具であり、衣服を結びつける構成のガイド材料と、肩ひもと連結したスライダーであり、スライダーはガイド素材とすべるように締結するように成形および大きさを決定される肩ひもと連結したスライダーとを備える器具である（特許文献８）。
【００１２】
この類似形は以前の例と同じ重大な欠点があり、水平支持ひもは完全に背中が開くことを提供することは不可能であるため肩ひもの課題は解決されない。さらに、最も近い類似形による器具は技術的観点からみると非常に複雑であり、耐用年数が短くなり器具の材料のうちいくつかは破損することになるので、ブラジャーを使用すること自体が不可能となる。
【００１３】
肌に密接するブラジャーの本質を考慮すると、その材料一部が突然破損することは非常にマイナスな効果になる。
【先行技術文献】
【特許文献】
【００１４】
【特許文献１】露国特許出願公開第２０９６００６号明細書
【特許文献２】露国特許出願公開第１５１４３２４号明細書
【特許文献３】ウクライナ特許第４９９８３号
【特許文献４】米国特許第４２４５６４４号明細書
【特許文献５】米国特許第５０４５０１９号明細書
【特許文献６】特開２０１１−２８８６８０号公報
【特許文献７】米国特許出願公開第２０１４／１７７１９６号明細書
【特許文献８】国際公開第０３/０９６８３１号
【発明の概要】
【発明が解決しようとする課題】
【００１５】
本発明の主な目的は、身体形状の婦人下着を開発することであり、新規材料および既知の材料から成る新規形状ならびに相対的な配置を提示することで、生理的に快適な胸部支持を維持しながら完全な女性の背中の開きを提供することが可能となる。
【課題を解決するための手段】
【００１６】
上述の目的は身体形状の婦人下着を提供することで達成され、身体形状の婦人下着は、成形カップと、支持材料と、長さ調整具と、留め具および取り外し手段とを備え、支持材料としては垂直支持材料のみ用いられ、それは成形カップの上側面および下側面に留め具１０および取り外し手段を用いて結びつけられ、留め具は２つの部分から構成され、１つ目の部分は閉口部から成り垂直支持材料に縫い込まれており、もう１つの部分はＧ字型に伸張されて開いているため、留め具と婦人下着の他部分を結びつけることが可能になる。
【００１７】
留め具の形状は２つの部分から構成されており、１つ目の部分は閉口部から成り垂直支持材料に縫い込まれており、もう１つの部分はＧ字型に伸張されて、閉口部の３倍以上の長さを有して開いているため、留め具と婦人下着の他部分を垂直および水平位置に結びつけることが可能になる。
【００１８】
さらに、成形カップは上部に粘着基体を有する。
【００１９】
さらに、成形カップは硬化材料を有する。
【００２０】
さらに、支持材料の長さは調整できる。  
【００２１】
さらに、支持材料は成形カップから取り外すための取り外し手段を有する。
【００２２】
さらに、支持材料の相対的な位置は変更可能である。
【００２３】
これより、以下の図面を用いて本発明を説明する。
【図面の簡単な説明】
【００２４】
【図１】図１は支持材料の留め具のすべての別形態を含めた婦人肌着の全体図である。
【図２】図２は連結手段の図である。
【図３】図３は支持材料の留め具の第１別形態である。
【図４】図４は支持材料の留め具の第２別形態である。
【図５】図５は支持材料の留め具の第３別形態である。
【図６】図６は支持材料の留め具の第４別形態である。
【図７】図７は支持材料の留め具の第７別形態である。
【発明を実施するための形態】
【００２５】
図１は支持材料の留め具のすべての別形態（Ｉ、ＩＩ、ＩＩＩ、ＩＶ、Ｖ）を含めた婦人肌着の全体図である。図は留め具のあらゆる別形態を示し、婦人下着の垂直支持材料１、留め具２、取り外し手段３といった別形態の付属物を用いて開いた背中を提供する。
【００２６】
輪４および輪５と係合した取り外し手段３は正面に用いられる。背面では、垂直支持材料１が輪６〜輪９と様々な形態で係合することで、あらゆる長さまたは改変された材料を有する背中が開いた衣服を着用する際に不可視性を提供する。
長さ調整具１０は垂直支持材料１上に配置され、個人によって異なる最適な支持材料の長さが長さ調整具の助けによって提供されるよう考慮する。
【００２７】
図２は垂直支持材料１および留め具２を示す。図は留め具２を有する垂直支持材料１の全体図であり、垂直支持材料１に縫い込まれた閉口部１１、Ｇ字型に伸張された開口部１２、取り外し手段３および長さ調整具１０から構成される。
【００２８】
図３において、輪４および輪５は婦人下着の左側および右側に配置される。垂直支持材料１は下記のように取り付けられている。取り外し手段３は輪４および輪５に差し込まれている。垂直支持材料１の第２端部は留め具２を備え、輪６および輪７は成形カップ１３の側面に差し込まれる。同様に他の垂直支持材料はもう１つの側面に取り付けられる。よって、上述の別形態は完全に開いた背中を提供することは明白である。
【００２９】
図４において、輪４および輪５は婦人下着の左側および右側に配置される。図では垂直支持材料は下記のように取り付けられている。取り外し手段３は輪４および５に差し込まれている。垂直支持材料の第２端部は留め具２を備え、輪８および輪９に差し込まれる。同様に他の垂直支持材料はもう１つの側面に取り付けられる。よって、上述の別形態は完全に開いた背中およびより大きくて深い袖ぐりを提供することは明白である。  
【００３０】
図５において、輪４および輪５は婦人下着の正面に配置される。本別形態においては、垂直支持材料は１つのみ用いる。図では垂直支持材料は下記のように取り付けられている。取り外し手段３は輪４に差し込まれている。垂直支持材料の第２端部は留め具２を備え、首をまたがって曲げられて輪５に差し込まれる。よって、上述の別形態はあらゆる面から完全に開いた背中を提供することは明白である。さらに、胸部に成形カップをよりきつく保持するために成形カップ１６は硬化材料１４および／または接着ひも１５をカップの上部に備え得る。
【００３１】
図６において、輪４および輪６は婦人下着の左側に配置され、輪５および輪７は婦人下着の右側に配置される。図では垂直支持材料１は下記のように取り付けられている。取り外し手段３は輪４に差し込まれている。垂直支持材料の第２端部は留め具２を備え、反対側にある輪７に差し込まれる。同様に、他の垂直支持材料はもう１つの側面に取り付けられる。よって、この留め具の別形態は理想的にはひも付き衣服に適しており、下着のひもの不可視性を提供し、かつ「透明下着効果」を生じさせる。
【００３２】
図７において、輪４および輪８は婦人下着の左側に配置され、輪５および輪９は婦人下着の右側に配置される。図では垂直支持材料１は下記のように取り付けられている。
取り外し手段３は輪４に差し込まれている。垂直支持材料の第２端部は留め具２を備え、反対側の輪９に差し込まれる。よって、同様に、他の垂直支持材料はもう１つの側面に取り付けられる。よって、この結びつけの別形態は理想的にはひも付き衣服に適しており、下着のひもの不可視性を提供し、かつ「透明下着効果」を生じさせる。
【産業上の利用可能性】
【００３３】
よって、本明細書に示された身体形状の婦人下着および留め具は、少なくとも１つの垂直補助材料を備えたあらゆる衣服、例えば水着、下着、ドレス、トップス、スポーツウェア等で用いられることがわかる。さらに、対応するあらゆる用途、例えば医療用途または他の目的等に使用できることがわかる。
【００３４】
本発明の技術的成果は、女性の健康的で快適な状態を維持するという社会的効果  であり、それにより女性の自信、性的魅力、気分、調和を向上させること、ならびに多数の衣服を購入するための経済的負担を減らすことである。
【図１】
2018510980.tif 000003
【図２】
2018510980.tif 000004
【図３】
2018510980.tif 000005
【図４】
2018510980.tif 000006
【図５】
2018510980.tif 000007
【図６】
2018510980.tif 000008
【図７】
2018510980.tif 000009
【国際調査報告】
2018510980.tif 000010
2018510980.tif 000011
2018510980.tif 000012
2018510980.tif 000013
2018510980.tif 000014